(57)【要約】【課題】緊急事態が生じた際の情報をできるだけ収集すること。【解決手段】１つの態様において、携帯電子機器（例えば、携帯電話１）は、近距離通信を行う通信部と、緊急報知モードとなった際に、前記近距離通信が可能なエリア内にある周辺機器に関する情報を取得するコントローラとを有する。例えば、携帯電話１は、防犯ブザーの作動を検出すると、近距離通信可能エリア内にある周辺機器の探索を開始する。そして、携帯電話１は、探索の結果検出された周辺機器に関する情報を記録するとともに、通信ネットワークを介して特定の機器にアップロードする。【選択図】図１
2014027565.tif 000002
【特許請求の範囲】
【請求項１】
近距離通信を行う通信部と、
緊急報知モードとなった際に、前記近距離通信が可能なエリア内にある周辺機器に関する情報を取得するコントローラと
を有する携帯電子機器。
【請求項２】
前記コントローラは、防犯ブザーの作動を検出した場合に、前記周辺機器に関する情報を取得する請求項１に記載の携帯電子機器。
【請求項３】
前記コントローラは、前記周辺機器に関する情報として、前記周辺機器に一意に付与される機器名、及び前記周辺機器に一意に割り当てられるアドレス情報の少なくとも１つを取得する請求項１に記載の携帯電子機器。
【請求項４】
前記コントローラは、一定時間ごとに前記周辺機器の探索を実行し、前記周辺機器に関する情報を取得する請求項３に記載の携帯電子機器。
【請求項５】
前記コントローラは、前記周辺機器の探索を実行するたびに自機器の位置情報を取得し、取得した位置情報を前記周辺機器に関する情報とともに前記特定の機器へアップロードする請求項４に記載の携帯電子機器。
【請求項６】
通信部を有する電子機器によって実行される通信方法であって、
前記通信部による近距離通信が可能なエリア内にある周辺機器を探索するステップと、
前記探索の結果検出された周辺機器に関する情報を取得するステップと
を含む通信方法。
【請求項７】
通信部を有する電子機器に、
前記通信部による近距離通信が可能なエリア内にある周辺機器を探索するステップと、
前記探索の結果の結果検出された周辺機器に関する情報を取得するするステップと
を実行させる通信プログラム。
【請求項８】
第１の機器と、第２の機器と、第３の機器とを含む通信システムであって、
前記第１の機器は、
近距離通信が可能なエリア内にある周辺機器に関する情報を取得し、
取得した前記周辺機器に関する情報を前記第２の機器へアップロードし、
前記第２の機器は、
前記第１の機器からアップロードされた周辺機器に関する情報を蓄積し、
前記第３の機器は、
前記第２の機器から、前記第１の機器により前記第２の機器に対してアップロードされた前記周辺機器に関する情報を取得する
通信システム。
【発明の詳細な説明】
【技術分野】
【０００１】
本出願は、携帯電子機器、通信方法、通信プログラム及び通信システムに関する。
【背景技術】
【０００２】
従来、緊急時にブザー音を鳴動させる鳴動手段を備える装置が知られている（特許文献１参照）。近年、携帯電話市場において、児童向けの携帯電話の開発も進められている。児童向けの携帯電話には、児童の安全性確保の観点から、防犯ブザーが搭載される場合が多い。防犯ブザーが搭載される児童向けの携帯電話には、例えば、防犯ブザーを鳴動させる為のストラップ紐が設置されている。児童は、ストラップ紐を所定の位置まで引っ張ることで、防犯ブザーのブザー音を鳴動させることができる。これにより、児童は、近傍にいる人々に、緊急事態であることを周知させることができる。
【先行技術文献】
【特許文献】
【０００３】
【特許文献１】実用新案登録３０５３８１３号公報
【発明の概要】
【発明が解決しようとする課題】
【０００４】
上記のことから、緊急事態が生じた際の情報をできるだけ収集することができる携帯電子機器、通信方法、通信プログラム及び通信システムに対する必要性がある。
【課題を解決するための手段】
【０００５】
１つの態様に係る携帯電子機器は、近距離通信を行う通信部と、緊急報知モードとなった際に、前記近距離通信が可能なエリア内にある周辺機器に関する情報を取得するコントローラとを有する。
【０００６】
１つの態様に係る通信方法は、通信部を有する電子機器によって実行される通信方法であって、前記通信部による近距離通信が可能なエリア内にある周辺機器を探索するステップと、前記探索の結果検出された周辺機器に関する情報を取得するステップとを含む。
【０００７】
１つの態様に係る通信プログラムは、通信部を有する電子機器に、前記通信部による近距離通信が可能なエリア内にある周辺機器を探索するステップと、前記探索の結果の結果検出された周辺機器に関する情報を取得するするステップとを実行させる。
【０００８】
１つの態様に係る通信システムは、第１の機器と、第２の機器と、第３の機器とを含む通信システムであって、前記第１の機器は、近距離通信が可能なエリア内にある周辺機器に関する情報を取得し、取得した前記周辺機器に関する情報を前記第２の機器へアップロードし、前記第２の機器は、前記第１の機器からアップロードされた周辺機器に関する情報を蓄積し、前記第３の機器は、前記第２の機器から、前記第１の機器により前記第２の機器に対してアップロードされた前記周辺機器に関する情報を取得する。
【図面の簡単な説明】
【０００９】
【図１】図１は、実施形態１に係る携帯電話のブロック図である。
【図２】図２は、実施形態１に係る携帯電話の処理の概要を示す図である。
【図３】図３は、実施形態２に係る携帯電話による処理手順の一例を示す図である。
【図４】図４は、実施形態２に係るサーバによる処理手順の一例を示す図である。
【図５】図５は、実施形態２に係るサーバによる処理手順の一例を示す図である。
【図６】図６は、実施形態２に係る情報端末による処理手順の一例を示す図である。
【図７】図７は、実施形態２に係る携帯電話による処理手順の一例を示す図である。
【図８】図８は、実施形態２に係るサーバによる処理手順の一例を示す図である。
【図９】図９は、実施形態２に係るサーバによる処理手順の一例を示す図である。
【図１０】図１０は、実施形態２に係る情報端末による処理手順の一例を示す図である。
【発明を実施するための形態】
【００１０】
本発明を実施するための実施形態を、図面を参照しつつ詳細に説明する。以下では、携帯電子機器の例として、携帯電話について説明する。
【００１１】
（実施形態１）
図１を参照しながら、実施形態１に係る携帯電話１の機能的な構成について説明する。図１は、実施形態１に係る携帯電話のブロック図である。図１に示すように、携帯電話１は、ディスプレイ２と、ボタン３と、通信ユニット６と、マイク８と、ストレージ９と、コントローラ１０と、スピーカ１１と、カメラ１２と、防犯ブザー作動検出部１３と、バイブレータ１８とを備える。
【００１２】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１３】
ボタン３は、利用者からの操作入力を受け付ける。ボタン３の数は、単数であっても、複数であってもよい。
【００１４】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。通信ユニット６がサポートするセルラーフォンの通信規格による通信、あるいは近距離無線の通信規格による通信により、後述するコントローラ１０は、近距離通信エリア内の周辺機器の探索を実現する。
【００１５】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００１６】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００１７】
ストレージ９は、例えば、制御プログラム９Ａ、通話アプリケーション９Ｂ、及び設定データ９Ｚなどを記憶する。通話アプリケーション９Ｂは、無線通信による通話のための通話機能を提供する。設定データ９Ｚは、携帯電話１の動作に関連する各種の設定及び処理に関する情報を含む。
【００１８】
制御プログラム９Ａは、携帯電話１を稼働させるための各種制御に関する機能を提供する。制御プログラム９Ａは、例えば、通信ユニット６及びマイク８等を制御することによって、通話を実現させる。制御プログラム９Ａは、通信ユニット６等を制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離通信を実現させる。制御プログラム９Ａは、通信ユニット６等を制御することによって、近距離通信可能エリア内にある他の機器の探索を実現させる。制御プログラム９Ａは、探索の結果検出された周辺機器に関する情報を、通信ユニット６を介して送信してもよい。制御プログラム９Ａが提供する機能は、通話アプリケーション９Ｂ等の他のプログラムが提供する機能と組み合わせて利用されることがある。
【００１９】
さらに、制御プログラム９Ａには、緊急報知モードとなった際に、近距離通信可能エリア内にある周辺機器に関する情報を取得する機能が含まれる。すなわち、制御プログラム９Ａは、緊急報知モードとなった際に、通信ユニット６等を制御して近距離通信可能エリア内にある周辺機器を探索し、探索の結果検出された周辺機器に関する情報を取得させる処理をコントローラ１０に実現させる。ここで、緊急報知モードとは、例えば、後述する防犯ブザー作動検出部１３により、防犯ブザーの作動操作が検出されたときの携帯電話１の動作モードである。制御プログラム９Ａが、緊急報知モードとなった際にコントローラ１０に実現させる処理には、近距離通信可能エリア内にある周辺機器に関する情報を取得する処理の他、例えば、防犯ブザーの作動通知を、後述する情報端末２００（図２参照）に送信する処理なども含まれる。
【００２０】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１の動作を統括的に制御して各種の機能を実現する。
【００２１】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２、通信ユニット６、マイク８、スピーカ１１、バイブレータ１８を含むが、これらに限定されない。コントローラ１０は、検出部の検出結果に応じて、制御を変更することがある。検出部は、例えば、ボタン３、カメラ１２、防犯ブザー作動検出部１３などを含むが、これらに限定されない。コントローラ１０は、携帯電話１がタッチスクリーンを有する場合、タッチスクリーンを介して検出される操作に応じて各種機能を実現することもできる。
【００２２】
コントローラ１０は、例えば、制御プログラム９Ａを実行することにより、緊急報知モードとなった際に、通信ユニット６等を制御して近距離通信可能エリア内にある周辺機器を探索し、探索の結果検出された周辺機器に関する情報を取得する処理を実現する。
【００２３】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００２４】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００２５】
マイク８は、音を入力する音入力部である。マイク８は、入力される音を電気信号へ変換する。スピーカ１１は、音を出力する音出力部である。スピーカ１１は、気導方式で音を出力することで、出力した音を離れた人へ伝えることができる。スピーカ１１は、例えば、ダイナミックスピーカである。スピーカ１１は、例えば、通話中の音声、防犯ブザーのブザー音、音楽コンテンツ又は動画コンテンツなどの音を出力するために用いられる。
【００２６】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００２７】
防犯ブザー作動検出部１３は、防犯ブザーの作動操作を検出する。例えば、防犯ブザー作動検出部１３は、利用者の操作により、例えば、ストラップ紐に接続されたスイッチ部材が所定の位置に移動したことを検出する。防犯ブザーの作動操作は、ストラップ紐に接続されたスイッチ部材の構成に限らず、操作を検出できればよい。防犯ブザー作動検出部１３は、防犯ブザーの作動操作を検出すると、防犯ブザーが作動したことを示す作動信号をコントローラ１０に送出する。コントローラ１０は、防犯ブザー作動検出部１３から作動信号を受信すると、スピーカ１１から防犯用のブザー音を出力させる。
【００２８】
バイブレータ１８は、携帯電話１の一部又は全体を振動させる。バイブレータ１８は、振動を発生させるために、例えば、圧電素子、又は偏心モータなどを有する。バイブレータ１８による振動は、着信等の各種のイベントを利用者に報知するために用いられる。
【００２９】
図１に示した携帯電話１の機能的な構成は例であり、本発明の要旨を損なわない範囲において適宜変更してよい。例えば、携帯電話１は、照度センサ、近接センサ、姿勢検出ユニット、タッチスクリーンなどを備えてもよい。
【００３０】
図２を参照して、携帯電話１にて実行される処理の概要を説明する。図２は、実施形態１に係る携帯電話１の処理の概要を示す図である。図２には、例えば、セキュリティ会社の情報端末２００が、防犯ブザーの作動を契機として携帯電話１からサーバ１００にアップロードされた情報を取得する例を示している。
【００３１】
図２に示すように、携帯電話１は、通信ネットワークを介して、サーバ１００と通信可能な状態で接続される。サーバ１００は、携帯電話１からアップロードされる情報を蓄積する。サーバ１００は、特定の機器の一例である。情報端末２００は、サーバ１００に蓄積されている情報を取得する。情報端末２００は、例えば、パーソナルコンピュータやサーバ、ワークステーションなどの情報処理装置である。
【００３２】
図２に示すように、携帯電話１は、防犯ブザーの作動を検出すると（ステップＳ１１）、防犯ブザーが作動した旨の通知を情報端末２００に送信する（ステップＳ１２）。携帯電話１は、近距離通信可能エリア内にある周辺機器の探索を開始する（ステップＳ１３）。なお、このステップＳ１２は、省略してもよい。
【００３３】
続いて、携帯電話１は、探索の結果検出された周辺機器（例えば、２ａ、２ｂ）に関する情報を記録するとともに、通信ネットワークを介してサーバ１００にアップロードする（ステップＳ１４）。ここで、周辺機器とは、携帯電話１の近距離通信可能エリア内にある、ネットワークルーターあるいはネットワークブリッジなどのネットワーク機器、近距離通信が可能な携帯電話あるいはＰＨＳなどの携帯端末などである。周辺機器に関する情報とは、例えば、ネットワーク機器名、ＭＡＣ（Ｍｅｄｉａ  Ａｃｃｅｓｓ  Ｃｏｎｔｒｏｌ）アドレス、ネットワーク識別子、受信信号強度、ＩＰアドレスなど、周辺機器に固有の情報に該当する。ＭＡＣアドレスは、ネットワーク機器に搭載されたネットワークアダプタに一意に付与される。ネットワーク識別子には、ＥＳＳＩＤ（Ｅｘｔｅｎｄｅｄ  Ｓｅｒｖｉｃｅ  Ｓｅｔ  Ｉｄｅｎｔｉｆｉｅｒ）、又はＳＳＩＤ（Ｓｅｒｖｉｃｅ  Ｓｅｔ  Ｉｄｅｎｔｉｆｉｅｒ）などが含まれる。
【００３４】
続いて、携帯電話１は、一定時間の経過を判定すると（ステップＳ１５）、再び、近距離通信可能エリア内にある周辺機器の探索を実行する（ステップＳ１６）。そして、携帯電話１は、探索の結果検出された周辺機器（例えば、２ｃ、２ｄ）に関する情報を記録するとともに、通信ネットワークを介してサーバ１００にアップロードする（ステップＳ１７）。ステップＳ１４及びステップＳ１５により、携帯電話１が、一定時間が経過する間移動している場合であっても、携帯電話１の現在位置周辺で探索された周辺機器に関する情報がサーバ１００にアップロードされる。
【００３５】
サーバ１００は、携帯電話１からアップロードされた探索結果である周辺機器に関する情報を記録する。探索結果を記録する際、サーバ１００は、探索結果の送信元である携帯電話１を一意に特定できる情報に対応付けておく。例えば、携帯電話１を一意に特定できる情報としては、個体識別番号あるいは携帯電話１とサーバ１００と情報端末２００との間で予め取り決めた識別子などが考えられる。
【００３６】
情報端末２００は、携帯電話１から、防犯ブザーが作動した旨の通知を受信すると、サーバ１００から携帯電話１によりアップロードされた探索結果を取得する。例えば、情報端末２００は、携帯電話１に関する情報の問合せをサーバ１００に送信し、サーバ１００から受信した応答に含まれる携帯電話１に関する情報を取得する。サーバ１００に送信する問合せには、例えば、サーバ１００が、携帯電話１を一意に特定できる情報を含めておく。
【００３７】
図３〜図６を参照して、実施形態１に係る処理手順の一例を説明する。図３は、実施形態１に係る携帯電話１による処理手順の一例を示す図である。図３に示す処理手順は、コントローラ１０が、ストレージ９に記憶されている制御プログラム９Ａなどを実行することによって実現される。
【００３８】
図３に示すように、コントローラ１０は、防犯ブザーが作動したことを示す作動信号を受けると、防犯ブザーの作動通知を情報端末２００へ送信する（ステップＳ１０１）。
【００３９】
続いて、コントローラ１０は、タイマーを起動する（ステップＳ１０２）。続いて、コントローラ１０は、近距離通信可能エリア内にある周辺機器の探索を実行する（ステップＳ１０３）。続いて、コントローラ１０は、探索の結果検出された周辺機器の情報をサーバ１００へアップロードする（ステップＳ１０４）。
【００４０】
続いて、コントローラ１０は、タイマーの計測時間を取得し（ステップＳ１０５）、一定時間を経過しているか否かを判定する（ステップＳ１０６）。コントローラ１０は、判定の結果、一定時間を経過している場合には（ステップＳ１０６，Ｙｅｓ）、ステップＳ１０３に戻り、再び、近距離通信可能エリア内にある周辺機器の探索を実行する。一方、コントローラ１０は、判定の結果、一定時間を経過していない場合には（ステップＳ１０６，Ｎｏ）、ステップＳ１０５に戻り、タイマーの計測時間を取得する。
【００４１】
図４及び図５は、実施形態１に係るサーバ１００による処理手順の一例を示す図である。図４及び図５に示す処理手順は、サーバ１００に搭載されたコントローラなどの制御部が、ストレージなどの記憶部に記憶されている所定のプログラムなどを実行することによって実現される。
【００４２】
図４に示すように、サーバ１００は、探索結果として、携帯電話１からアップロードされた周辺機器に関する情報を受信すると（ステップＳ２０１）、携帯電話１に関連付けて周辺機器に関する情報を記録する（ステップＳ２０２）。例えば、サーバ１００は、携帯電話１の個体識別番号、あるいは携帯電話１とサーバ１００と情報端末２００との間で予め取り決めた識別子などの情報に対応付けて、周辺機器に関する情報を記録する。
【００４３】
図５に示すように、サーバ１００は、情報端末２００から、携帯電話１に関する情報の問合せを受信すると（ステップＳ３０１）、記録している探索結果の中から、携帯電話１に関連付けられた周辺機器に関する情報を取得する（ステップＳ３０２）。続いて、サーバ１００は、取得した周辺機器に関する情報を、問合せに対する応答として、問合せの送信元である情報端末２００へ返信する（ステップＳ３０３）。
【００４４】
図６は、実施形態１に係る情報端末２００による処理手順の一例を示す図である。図６に示す処理手順は、情報端末２００に搭載されたコントローラなどの制御部が、ストレージなどの記憶部に記憶されている所定のプログラムなどを実行することによって実現される。
【００４５】
図６に示すように、情報端末２００は、携帯電話１から防犯ブザーの作動通知を受信すると（ステップＳ４０１）、携帯電話１に関する情報の問合せをサーバ１００に送信する（ステップＳ４０２）。例えば、情報端末２００は、携帯電話１の個体識別番号、あるいは携帯電話１とサーバ１００と情報端末２００との間で予め取り決めた識別子など、携帯電話１を一意に特定できる情報を問合せに含めておく。続いて、情報端末２００は、問合せに対する応答として、携帯電話１にて取得された周辺機器に関する情報を、サーバ１００から受信する（ステップＳ４０３）。
【００４６】
実施形態１では、携帯電話１は、防犯ブザーの作動を検出した場合に、近距離通信可能エリア内にある周辺機器の探索を実行し、探索の結果検出された周辺機器に関する情報を取得する。このため、実施形態１によれば、緊急事態が生じた際の情報をできるだけ収集することができる。
【００４７】
実施形態１では、携帯電話１は、周辺機器に関する情報として、周辺機器に一意に付与される機器名、及び周辺機器に一意に割り当てられるアドレス情報の少なくとも１つを取得する。例えば、周辺機器が、回線事業者あるいは地方公共団体などにより設置されたネットワーク機器である場合、機器名あるいはＭＡＣアドレスにより機器を一意に特定できる。このため、ネットワーク機器の所在地の情報を取得することができれば、緊急事態が生じた際の児童の位置の見当をつけるために利用できる。
【００４８】
実施形態１では、携帯電話１は、一定時間ごとに、繰り返し、近距離通信可能エリア内にある周辺機器の探索を実行し、探索の結果検出された周辺機器に関する情報をサーバ１００にアップロードする。このため、実施形態１によれば、児童が移動している場合であっても、携帯電話１の近距離通信可能エリア内にある周辺機器に関する情報の推移と、周辺機器の所在地などを記した地図データなどと照らし合わせることにより、緊急事態が生じた際の児童の足跡の見当をつけるために利用できる。
【００４９】
実施形態１では、携帯電話１が、防犯ブザーの作動検出を契機とする緊急報知モードとなった際に、近距離通信可能エリア内にある周辺機器の探索を行い、探索の結果検出された周辺機器に関する情報を取得する例を説明したが、これには限定されない。例えば、気象庁が配信する緊急地震速報及び津波警報、地方公共団体が発信する災害情報及び避難情報などの緊急性の高いメッセージの受信を契機として、携帯電話１は、緊急報知モードになったものと判断し、近距離通信エリア内にある周辺機器の探索を行って、探索の結果検出された周辺機器に関する情報を取得してもよい。
【００５０】
実施形態１において、防犯ブザーの作動を検出したとき、あるいは緊急性の高いメッセージを受信したときに、近距離通信の機能が停止状態である場合には、近距離通信の機能を起動させるようにしてもよい。
【００５１】
（実施形態２）
実施形態１において、携帯電話１の近距離通信可能エリア内にある周辺機器に関する情報とともに、携帯電話１で測位された位置情報を合わせてアップロードしてもよい。
【００５２】
通信ユニット６は、ＧＰＳ衛星からの所定の周波数帯の電波信号を受信し、受信した電波信号の復調処理を行って、処理後の信号をコントローラ１０に送出する。通信ユニット６とは別に、ＧＰＳ衛星との通信のみを行う通信部を設けてもよい。
【００５３】
制御プログラム９Ａには、周辺機器の探索を実行するたびに、現在位置の測位を実行して、自機器の位置情報を取得する機能が含まれる。さらに、制御プログラム９Ａには、取得した自機器の位置情報を、周辺機器に関する情報とともにサーバ１００へアップロードする機能が含まれる。
【００５４】
コントローラ１０は、例えば、制御プログラム９Ａを実行することにより、周辺機器の探索を実行するたびに、現在位置の測位を実行して、自機器の位置情報を取得する。さらに、コントローラ１０は、制御プログラム９Ａを実行することにより、取得した自機器の位置情報を、周辺機器に関する情報とともにサーバ１００へアップロードする。
【００５５】
図７〜図１０を参照して、実施形態２に係る処理手順の一例を説明する。図７は、実施形態２に係る携帯電話１による処理手順の一例を示す図である。図７に示す処理手順は、コントローラ１０が、ストレージ９に記憶されている制御プログラム９Ａなどを実行することによって実現される。
【００５６】
図７に示すように、コントローラ１０は、防犯ブザーが作動したことを示す作動信号を受けると、防犯ブザーの作動通知を情報端末２００へ送信する（ステップＳ５０１）。
【００５７】
続いて、コントローラ１０は、タイマーを起動する（ステップＳ５０２）。続いて、コントローラ１０は、近距離通信可能エリア内にある周辺機器の探索を実行する（ステップＳ５０３）。続いて、コントローラ１０は、通信ユニット６から、ＧＰＳ衛星からの所定の周波数帯の電波信号を取得し、現在位置の測位を実行する（ステップＳ５０４）。
【００５８】
続いて、コントローラ１０は、ステップＳ５０３における探索の結果検出された周辺機器の情報、及びステップＳ５０４の測位の結果取得された位置情報をサーバ１００へアップロードする（ステップＳ５０５）。
【００５９】
続いて、コントローラ１０は、タイマーの計測時間を取得し（ステップＳ５０６）、一定時間を経過しているか否かを判定する（ステップＳ５０７）。コントローラ１０は、判定の結果、一定時間を経過している場合には（ステップＳ５０７，Ｙｅｓ）、ステップＳ５０３に戻り、再び、近距離通信可能エリア内にある周辺機器の探索を実行する。一方、コントローラ１０は、判定の結果、一定時間を経過していない場合には（ステップＳ５０７，Ｎｏ）、ステップＳ５０６に戻り、タイマーの計測時間を取得する。
【００６０】
図８及び図９は、実施形態２に係るサーバ１００による処理手順の一例を示す図である。図８及び図９に示す処理手順は、サーバ１００に搭載されたコントローラなどの制御部が、ストレージなどの記憶部に記憶されている所定のプログラムなどを実行することによって実現される。
【００６１】
図８に示すように、サーバ１００は、探索結果として、携帯電話１からアップロードされた周辺機器に関する情報および位置情報を受信すると（ステップＳ６０１）、携帯電話１に関連付けて周辺機器に関する情報および位置情報を記録する（ステップＳ６０２）。例えば、サーバ１００は、携帯電話１の個体識別番号、あるいは携帯電話１とサーバ１００と情報端末２００との間で予め取り決めた識別子などの情報に対応付けて、周辺機器に関する情報を記録する。
【００６２】
図９に示すように、サーバ１００は、情報端末２００から、携帯電話１に関する情報の問合せを受信すると（ステップＳ７０１）、記録している探索結果の中から、携帯電話１に関連付けられた周辺機器に関する情報および位置情報を取得する（ステップＳ７０２）。続いて、サーバ１００は、取得した周辺機器に関する情報および位置情報を、問合せに対する応答として、問合せの送信元である情報端末２００へ返信する（ステップＳ７０３）。
【００６３】
図１０は、実施形態２に係る情報端末２００による処理手順の一例を示す図である。図１０に示す処理手順は、情報端末２００に搭載されたコントローラなどの制御部が、ストレージなどの記憶部に記憶されている所定のプログラムなどを実行することによって実現される。
【００６４】
図１０に示すように、情報端末２００は、携帯電話１から防犯ブザーの作動通知を受信すると（ステップＳ８０１）、携帯電話１に関する情報の問合せをサーバ１００に送信する（ステップＳ８０２）。例えば、情報端末２００は、携帯電話１の個体識別番号、あるいは携帯電話１とサーバ１００と情報端末２００との間で予め取り決めた識別子など、携帯電話１を一意に特定できる情報を問合せに含めておく。続いて、情報端末２００は、問合せに対する応答として、携帯電話１にて取得された周辺機器に関する情報および位置情報を、サーバ１００から受信する（ステップＳ８０３）。
【００６５】
実施形態２では、携帯電話１は、周辺機器に関する情報とともに、位置情報をサーバ１００にアップロードする。このため、実施形態２によれば、周辺機器に関する情報だけでなく、携帯電話１の位置情報を、緊急事態が生じた際の児童の足跡の見当をつけるために利用できる。
【００６６】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【００６７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００６８】
１  携帯電話
２  ディスプレイ
３  ボタン
６  通信ユニット
８  マイク
９  ストレージ
９Ａ  制御プログラム
９Ｂ  通話アプリケーション
９Ｚ  設定データ
１０  コントローラ
１１  スピーカ
１２  カメラ
１３  防犯ブザー作動検出部
１８  バイブレータ
【図１】
2014027565.tif 000003
【図２】
2014027565.tif 000004
【図３】
2014027565.tif 000005
【図４】
2014027565.tif 000006
【図５】
2014027565.tif 000007
【図６】
2014027565.tif 000008
【図７】
2014027565.tif 000009
【図８】
2014027565.tif 000010
【図９】
2014027565.tif 000011
【図１０】
2014027565.tif 000012